(57)【特許請求の範囲】
【請求項１】
支持装置であって、該支持装置が、
第１表面及び第１表面とは反対側の第２表面を有する裏材層で、該裏材層が高度に水蒸気透過性であり、及び該裏材層の第１表面が液体水不透過性である、裏材層と；
該裏材層の第２表面に隣接して配置される緩衝体であって、該緩衝体が非吸収性である、緩衝体と；
該緩衝体に隣接する第１表面及び第１表面の反対側の第２表面を有するベース層で、該ベース層が高度に水蒸気透過性である、ベース層と；を含み、
該ベース層が完全に連続しており；
該ベース層の第２表面が接着剤を含んでおり；
該ベース層及び裏材層が緩衝体周辺に完全に接合する、支持装置。
【請求項２】
前記裏材層及びベース層の少なくとも１つが複数の材料の層を含む、請求項１に記載の支持装置。
【請求項３】
前記裏材層がフィルムを含む、請求項１又は２に記載の支持装置。
【請求項４】
前記緩衝体が変形可能かつ圧縮可能である、請求項１〜３のいずれか一項に記載の支持装置。
【請求項５】
前記緩衝体が高度に水蒸気透過性である、請求項１〜４のいずれか一項に記載の支持装置。
【請求項６】
前記ベース層がフィルム、織布、編布又は不織布である、請求項１〜５のいずれか一項に記載の支持装置。
【請求項７】
前記ベース層が液体水不透過性である、請求項１〜６のいずれか一項に記載の支持装置。
【請求項８】
緩衝体に隣接する裏材層の第１表面に固着する固定装置を更に含む、請求項１〜７のいずれか一項に記載の支持装置。
【請求項９】
固定装置が医療用装置を保持する、請求項８に記載の支持装置。
【発明の詳細な説明】
【技術分野】
【０００１】
本開示は、含有緩衝体を備えた支持装置に関する。
【背景技術】
【０００２】
多様な用途において、チューブ、カテーテル及び監視装置などの医療用装置は、皮膚に直接隣接して配置されなければならない。これらの医療用装置は、通常テープ、接着剤又は堅い固定器具で皮膚に固着されなければならない。医療用装置及び固定器具は通常堅く、並びに、不快感、刺激作用及び皮膚への圧迫潰瘍を引き起こすことがある。
【０００３】
医療用装置を含む領域を清潔に保つことが望ましい。透明なフィルム包帯は、創傷を覆う保護層又は医療用装置挿入部位として広く使用されて、汚染流体及び細菌に対するバリアを提供する。しかし、透明フィルム単独では、上を被う医療用装置に十分な快適さをもたらすことができない。
【０００４】
創傷包帯は、透明フィルムに固着する発泡体材を含むことができる。しかし、これらの発泡体材は皮膚、傷又は環境から流体を高度に吸収し、発泡体に十分染みこむと創傷包帯を変える必要が生じる。場合によっては、洗浄する領域に流体を取り込むことは望ましいが、包帯内に吸収される流体は望ましくない。
【発明の概要】
【課題を解決するための手段】
【０００５】
開示された支持装置は含有緩衝体を含み、それは支持装置の洗浄を可能にするが、緩衝体への流体の吸収を制限する。
【０００６】
一実施形態において、支持装置は、裏材層、緩衝体及びベース層を含む。裏材層は、第１表面及び第１表面とは反対側の第２表面を含み、裏材層は高度に水蒸気透過性であり、及び裏材層の第１表面は液体水不透過性である。緩衝体は、裏材層の第２表面に隣接して配置される。ベース層は、緩衝体に隣接する第１表面及び緩衝体の第１表面の反対側の第２表面を含む。ベース層は、高度に水蒸気透過性である。ベース層は、完全に連続している。ベース層の第２表面は、接着剤を含む。ベース層及び裏材層は、緩衝体周辺に完全に接合する。
【０００７】
一実施形態において、裏材層又はベース層それぞれが複数の材料の層を含む。一実施形態において、裏材層はフィルムを含む。一実施形態において、裏材層の第２表面が、ベース層と接合するために少なくとも部分的に接着剤を含む。一実施形態において、裏材層及びベース層の領域が緩衝体の領域より大きく、そのため裏材層及びベース層が完全に緩衝体の領域を越えて延びている。
【０００８】
一実施形態において、緩衝体が、裏材層及びベース層の厚さより実質的に大きな厚さを有する。一実施形態において、緩衝体は変形可能かつ圧縮可能である。一実施形態において、緩衝体が、発泡体、スポンジ、ゲル、親水コロイド、厚い不織布、織布又は編み材布を含む。一実施形態において、緩衝体は非吸収性である。一実施形態において、緩衝体は高度に水蒸気透過性である。
【０００９】
一実施形態において、ベース層が完全に連続しており、そのためベース層は全体が連続する均一の材料構成体である。一実施形態において、ベース層が完全に連続しており、そのため前記ベース層が連続する均一の材料構成体である。一実施形態において、前記ベース層が完全に連続しており、そのためベース層は穿孔がない。一実施形態において、ベース層はフィルム、織布、編布又は不織布である。一実施形態において、ベース層は液体水不透過性である。
【００１０】
一実施形態において、接着剤は皮膚に固着される。一実施形態において、支持装置は、緩衝体に隣接する裏材層の第１表面に固着する固定装置を更に含む。一実施形態において、固定装置は医療用装置を保持する。
【００１１】
本明細書で使用する場合、「完全に連続している」という用語は、表面積が実質的に連続する材料構成体であり、及び該材料構成体に大きな空隙、間隙又は穿孔が実質的にないことを意味する。小規模に、材料に間隙がある場合でも、材料はまだ完全に連続していることができる。例えば、フィルム、不織材、紙及び布は、完全に連続するように、すべて形成され得る。
【００１２】
「高度に水蒸気透過性」という用語は、材料がヒトの皮膚と類似の、又はより速い速度で水蒸気を透過することを意味する。例えば米国特許第４，５９５，００１号に記載の通り、倒置カップ法を用いて、高度に水蒸気透過性とは、３７℃／１００〜１０％  ＲＨで少なくとも３００ｇ／ｍ２／２４時間の速度であることを意味する。
【００１３】
「液体水不透過性」という用語は、液体水が１つの材料表面に直接接触して置かれた場合、通常の大気圧下で、それが材料の反対面へ直ちに輸送されないことを意味する。
【００１４】
用語「好ましい」及び「好ましくは」は、特定の環境において特定の利益を供する可能性がある実施形態を示す。しかしながら、同様又は他の環境において、他の実施形態が好ましい可能性もある。更に、１つ以上の好ましい実施形態の詳細説明は、他の実施形態が有用でないことを示すものではなく、他の実施形態を排除することを意図するものではない。
【００１５】
本明細書で使用するとき、「ａ」、「ａｎ」、「ｔｈｅ」、「少なくとも１つの」及び「１つ以上の」は、互換可能に使用される。用語「及び／又は」（使用される場合）は、特定した要素のうちの１つ若しくはすべて、又は特定した要素のうちの任意の２つ以上の組み合わせを意味する。
【図面の簡単な説明】
【００１６】
【図１】支持装置の第１の実施形態の斜視図である。
【図２】図１の支持装置の側面図である。
【図３】図１〜２の支持装置の底面図である。
【図４】適用される医療用装置を備えた、図１〜３の支持装置の側面図である。
【００１７】
上記の図面は、本発明の実施形態を表しているが、説明において述べるように、他の実施形態も検討される。いずれの場合も、本開示は、限定する目的ではなく、説明する目的で本発明を提示する。本発明の範囲及び趣旨の範疇にある多くの他の修正及び実施形態が、当業者によって考案され得ることを理解されたい。
【００１８】
図面は、縮尺どおりに描かれていない場合がある。
【発明を実施するための形態】
【００１９】
図１は、支持装置１００の第１の実施形態の斜視図である。図２は支持装置１００の側面図であり、図３は支持装置１００の底面図である。図４は、適用される医療用装置２００を備えた、図１〜３の支持装置１００の側面図である。
【００２０】
支持装置１００は、裏材層１１０、ベース層１３０、及び裏材層１１０とベース層１３０の間に配置した緩衝体１２０を含む。
【００２１】
裏材層１１０は、第１表面１１２と、第１表面の反対側の第２表面１１４を含む。裏材層１１０の第１表面１１２は、通常、支持装置１００が取り付けられた表面から反対側を向く。更に第１表面１１２は、適用される医療用装置２００と接触する面である。裏材層１１０は高度に水蒸気透過性であり、及び裏材層１１０の第１表面１１２は液体水不透過性である。
【００２２】
緩衝体１２０は、裏材層１１０とベース層１３０に隣接して配置される。緩衝体１２０は快適さを提供し、及び、上を被う医療用装置２００が下にある表面を刺激する又は損なうのを防ぐのを助ける。したがって、通常緩衝体１２０は、変形可能及び圧縮可能である。一実施形態において、緩衝体１２０は、裏材層１１０及びベース層１３０の厚さより実質的に大きい厚さを有する。一実施形態において、緩衝体１２０は非吸収性である。１０．一実施形態において、緩衝体１２０は高度に水蒸気透過性である。一実施形態において、緩衝体は圧力を分散できる。
【００２３】
ベース層１３０は、緩衝体１２０に隣接する第１表面１３２、及び緩衝体１２０の第１表面１３２の反対側の第２表面１３４を含む。ベース層１３０の第２表面１３４は、接着剤１３６を含む。一実施形態において、実質的に第２表面１３４全体が、接着剤１３６を含む。一実施形態において、接着剤１３６は、第２表面１３４の一部にある。例えば接着剤１３６は、ベース層１３０の第２表面１３４に被覆された様式でもよい。
【００２４】
ベース層１３０は、完全に連続している。一実施形態において、ベース層１３０は、連続する均一の材料構成体である。一実施形態において、ベース層１３０は、ベース層１３０全体で実質的に均一な厚さである。ベース層１３０は、高度に水蒸気透過性である。一実施形態において、ベース層１３０は液体水不透過性である。
【００２５】
ベース層１３０及び裏材層１１０はそれぞれ、１つ以上の材料の層を含むことができる。一実施形態において、ベース層１３０及び裏材層１１０は、実質的に同じ面積である。一実施形態において、ベース層１３０及び裏材層１１０は、緩衝体１２０の表面積より大きい表面積を有する。
【００２６】
緩衝体１２０を含むために、ベース層１３０及び裏材層１１０は、図１又は図２で最もよくわかるように、緩衝体１２０周辺に完全に接合する。一実施形態において、ベース層１３０、裏材層１１０、又はベース層１３０及び裏材層１１０両方は、ベース層１３０及び裏材層１１０を接合するために、固定する接着剤１１６を含む。
【００２７】
記載された構成体において、緩衝体１２０は、裏材層１１０及びベース層１３０の構造内に完全に含有される。ベース層１３０は、支持装置１００を皮膚などの表面に固着するための接着剤１３６を含む。裏材層１１０は、液体水不透過性である第１表面１１２を含み、それは支持装置１００の洗浄容易性を可能にする。概して、一実施形態において、裏材層１１０、緩衝体１２０及びベース層１３０は、高度に水蒸気透過性であり、支持装置が皮膚への適用に十分適するようにする。創傷包帯との差異として、支持装置１００は完全に連続するベース層１３０を含み、それは液体からの緩衝体の著しい封じ込めを提供する。
【００２８】
一実施形態において、支持装置１００は皮膚に適用されて、下にある皮膚を固い、すりむく、又は刺激性の表面との接触から保護することができる。一実施形態において、支持装置１００は皮膚に適用されて、皮膚の圧迫潰瘍をもたらす可能性がある、加える圧力から皮膚を保護することができる。液体水不透過性の裏材層１１０があれば、支持装置１００は容易に洗浄され得る。
【００２９】
支持装置１００は、適用及び皮膚への付着に十分適しており、液体水を緩衝体に透過させずに洗浄できる。緩衝体１２０への液体の吸収を制限することは、除去及び変更を必要とせずに支持装置１００が皮膚に付着されている時間を増加させる。
【００３０】
上述のように、医療用装置などの装置２００は、緩衝体１２０に隣接する裏材層１１０の第１表面１１２に適用されることができる。装置２００は、恒久的に又は取り外し可能で第１表面１１２に固定することができる。例えば、テープ、フック／ループ又は接着剤が、装置２００を支持装置１００に固定するために使用され得る。医療用装置の例としては、チューブ、カテーテル、ポート、又はチューブ若しくはカテーテルを固定するための固定器具が挙げられる。一実施形態において、図４に示され、及び２０１３年８月５日出願の米国特許出願第６１／８６２，２８４号に記載されるような、固定装置２００は、裏材層１１０の第１表面１１２に恒久的に固定されて、及び固定装置２００はチューブ又はカテーテルなどの他の医療用装置を固定するために用いられる。
【００３１】
裏材層
裏材層は、液体及び少なくともいくつかの気体の通過に対する、不透過性バリアを提供することができる。代表的なバリアとしては、不織及び織り繊維性ウェブ、編地、フィルム、発泡体、高分子フィルム、並びに他の一般的な裏材材料を挙げることができる。いくつかの実施形態では、下にある皮膚を見ることができるように、透明な基材が望ましい。
【００３２】
一実施形態において、裏材層は、高度の水蒸気透過性を有するが、微生物及び他の汚染物質が基材の下の領域から遮断されるように、一般的に、液体水に対して不透過性である。好適な材料の一例は、例えば、米国特許第３，６４５，８３５号及び同第４，５９５，００１号に記載されているような高水蒸気透過性フィルムであり、これらの開示は参照により本明細書に組み込まれる。高水蒸気透過性フィルム／接着剤複合材では、この複合体は、例えば、一実施形態では、米国特許第４，５９５，００１号に記載されている倒置カップ法を使用して、３７℃／１００〜１０％  ＲＨで少なくとも３００ｇ／ｍ２／２４時間の速度、又は、一実施形態では、３７℃／１００〜１０％  ＲＨで少なくとも７００ｇ／ｍ２／２４時間の速度、又は、一実施形態では、３７℃／１００〜１０％  ＲＨで少なくとも２０００ｇ／ｍ２／２４時間の速度など、ヒトの皮膚以上の速度で水蒸気を透過しなければならない。複数の層が使われる場合、穿孔された基材若しくはフィルム、又は様式被覆された接着剤が、水蒸気透過性を増加させるために用いることができるが、全体として、裏材層は液体水不透過性である。一実施形態において、裏材層は、エラストマーポリウレタン、ポリエステル、又はポリエーテルブロックアミドフィルムである。これらフィルムは、弾力性、弾性、高水蒸気透過性、及び透明性の望ましい特性を組み合わせたものである。裏材層のこの特性についての記載は、発行済み米国特許第５，０８８，４８３号及び同第５，１６０，３１５号に見出すことができ、これらの開示は参照により本明細書に組み込まれる。
【００３３】
市販の潜在的に適切な裏材の例としては、ＴＥＧＡＤＥＲＭ（３Ｍ  Ｃｏｍｐａｎｙ）、ＯＰＳＩＴＥ（Ｓｍｉｔｈ  ＆  Ｎｅｐｈｅｗ）などの商標名で販売されている、薄い高分子フィルム裏材が挙げられ得る。外科用切開ドレープ（例えば、ＳＴＥＲＩＤＲＡＰＥ及びＩＯＢＡＮの商標名で、３Ｍ  Ｃｏｍｐａｎｙによって製造される切開ドレープ）などの製造に一般的に使用されるものなどを含む、他の多くの裏材も使用し得る。
【００３４】
医療用包帯によって画定された密閉環境からは、流体を能動的に取り除くことができるので、比較的水蒸気透過性が高い裏材を必要としない場合もある。その結果、いくつかの他の潜在的に有用な裏材材料としては、例えばメタロセンポリオレフィン、並びにＳＢＳ及びＳＩＳブロックコポリマ材料を挙げることができる。
【００３５】
しかし、それにもかかわらず、例えば柔軟性を改善するために、裏材層が比較的薄く維持されることが望ましい場合がある。例えば、裏材層は、厚さ２００マイクロメートル以下、又は１００マイクロメートル以下、場合により５０マイクロメートル以下、又は２５マイクロメートル以下の高分子フィルムで形成され得る。
【００３６】
緩衝体
緩衝体は快適さを提供し、したがって変形可能及び圧縮可能である。好適な材料としては、発泡体、スポンジ、ゲル、親水コロイド、不織布、織布又は編み材布が挙げられる。一実施形態では、緩衝体は非吸収性である。
【００３７】
ベース層
ベース層は、接着剤１３６が適用される表面を提供して、更に緩衝体を含む表面を提供する。
【００３８】
一実施形態において、ベース層は、裏材層に関する上述の通り実質的に構成体であることができ、したがって、不織及び織り繊維性ウェブ、編地、フィルム、発泡体、高分子フィルム、並びに他の一般的な裏材材料を含む。
【００３９】
一実施形態において、ベース層は高水蒸気透過性である。一実施形態において、ベース層は液体水に対して不透過性である。緩衝体への液体の取り込みを制限するために、ベース層は穿孔されない。
【００４０】
市販の潜在的に適切なベース層材の例としては、商標ＳＯＮＴＡＲＡの布地（ＤｕＰｏｎｔ）を挙げることができる。しかし、それにもかかわらず、例えば柔軟性を改善するために、ベース層が比較的薄く維持されることが望ましい場合がある。例えば、ベース層は、厚さ２００マイクロメートル以下、又は１００マイクロメートル以下、場合により５０マイクロメートル以下、又は２５マイクロメートル以下の高分子フィルムで形成され得る。ベース層は、例えば、２つのフィルム（共押出）、フィルム及び布地（織材、編み材、不織材）などの２つの材料の組み合わせからなることもできる。
【００４１】
接着剤
支持装置１００を表面に固定するため、ベース層１３０の第２表面１３４上に使用するのに好適な接着剤は、皮膚に許容可能な接着性を提供し、かつ、皮膚上で使用するのに許容可能な（例えば、接着剤は、好ましくは刺激がなく、かつ、感作でないべきである）接着剤が挙げられる。好適な接着剤は感圧性接着剤であり、特定の実施形態では、水分を蒸発させるために、比較的高い水蒸気透過速度を有する。好適な感圧接着剤としては、アクリレート、ウレタン、ヒドロゲル、ヒドロコロイド、ブロックコポリマ、シリコーンに基づくもの、ゴム系接着剤（天然ゴム、ポリイソプレン、ポリイソブチレン、ブチルゴムなどを含む）、及びこれら接着剤の組み合わせが挙げられる。接着剤成分は、粘着付与剤、可塑剤、レオロジ変性剤、及び、例えば抗菌剤を含む活性成分を含有し得る。
【００４２】
創傷包帯で使用され得る感圧性接着剤は、米国再発行特許第２４，９０６号に記載されているアクリレートコポリマ、具体的には、９７：３のイソオクチルアクリレート：アクリルアミドコポリマなどの、通常皮膚に適用される接着剤を含み得る。別の例としては、米国特許第４，７３７，４１０号（実施例３１）に記載されている通り、７０：１５：１５のイソオクチルアクリレート：エチレンオキシドアクリレート：アクリル酸ターポリマを挙げることができる。他の潜在的に有用な接着剤は、米国特許第３，３８９，８２７号、同第４，１１２，２１３号、同第４，３１０，５０９号、及び同第４，３２３，５５７号に記載されている。米国特許第４，３１０，５０９号及び同第４，３２３，５５７号に記載されているように、薬剤又は抗菌剤を接着剤に含めることも想到される。
【００４３】
シリコーン接着剤を使用することもできる。一般に、シリコーン接着剤は、皮膚に対する好適な接着をもたらすことができると同時に、皮膚から優しく除去することができる。好適なシリコーン接着剤は、国際公開第ＷＯ２０１０／０５６５４１号及び第ＷＯ２０１０／０５６５４３号に開示されており、これらの開示は参照により本明細書に組み込まれる。
【００４４】
いくつかの実施形態では、感圧性接着剤は、ヒトの皮膚以上の速度で水蒸気を透過し得る。このような特徴は、適切な接着剤を選択することで達成することができるが、米国特許第４，５９５，００１号に記載されているように、裏材上に接着剤を様式塗布するなど、相対速度の高い水蒸気透過を達成する他の方法を用いてもよいことも想到される。他の潜在的に好適な感圧性接着剤としては、例えば、米国特許第６，９９４，９０４号に記載されているものなどのブローンマイクロファイバ（ＢＭＦ）接着剤が挙げられる。また、創傷包帯に使用される感圧性接着剤は、接着剤自体が、例えば、米国特許第６，８９３，６５５号に記載されている微細複製構造などの構造を含む１つ以上の領域を含んでもよい。
【００４５】
発行済みの米国特許第３，６４５，８３５号及び同第４，５９５，００１号には、このようなフィルムの製造方法、及び透過性の試験方法が記載されており、これらの開示は参照により本明細書に組み込まれる。好ましくは、フィルム／接着剤複合材は、ヒトの皮膚以上の速度で水蒸気を透過させなければならない。好ましくは、接着剤でコーティングされた材料は、米国特許第４，５９５，００１号に記載されている倒置カップ法を用いて、３７℃／１００〜１０％  ＲＨで少なくとも３００ｇ／ｍ２／２４時間の速度、又は一実施形態では３７℃／１００〜１０％  ＲＨで少なくとも７００ｇ／ｍ２／２４時間の速度、又は一実施形態では３７℃／１００〜１０％  ＲＨで少なくとも２０００ｇ／ｍ２／２４時間の速度で、水蒸気を透過する。
【００４６】
２０１２年６月２６日出願、名称「Ｍｅｄｉｃａｌ  Ｄｒｅｓｓｉｎｇ  ｗｉｔｈ  Ｍｕｌｔｉｐｌｅ  Ａｄｈｅｓｉｖｅｓ」の米国特許出願第６１／６６４，２４６号に開示されているように、包帯の異なる部分が異なる接着剤を含んでもよい。例えば、ある部分はアクリレート接着剤を含んでよいが、別の部分はシリコーン接着剤を含んでよい。一実施形態において、縁部の分離を防ぐために、外周の隣接部は、アクリレート接着剤であり、一方、中心部分の近傍は、シリコーン接着剤である。一実施形態において、装置又はチューブに強力に固定するために、中心部分の近傍にはアクリレート接着剤が存在し、一方、皮膚と接触する外周の近傍には、シリコーン接着剤が存在する。
【００４７】
任意成分
接着剤の汚染を防止するために、接着剤のすべて又は一部を被覆する任意の剥離ライナを含んでもよい。一実施形態において、支持装置１００を含むパッケージは、剥離ライナとして機能し得る。
【００４８】
裏材層１１０の第１表面のすべて又は一部を被覆する任意の支持材料を含んでもよく、これは、包帯が薄くかつ可撓性が高い場合に構造支持体を提供する。支持装置を皮膚上に配置したら、支持材料は、第１主表面１１２から取り外し可能であってもよい。支持材料は、織り若しくは編み布、不織材料、紙、又はフィルムなどの多様な材料で構築され得る。一実施形態において、支持材料は、裏材層１１０の第１表面の外周に沿って存在し、３Ｍ  Ｃｏｍｐａｎｙ（Ｓｔ．Ｐａｕｌ，ＭＮ）から入手可能な３Ｍ  Ｔｅｇａｄｅｒｍ（商標）Ｔｒａｎｓｐａｒｅｎｔ  Ｆｉｌｍ  Ｄｒｅｓｓｉｎｇに使用されている支持材料に類似している、第１主表面１１２から取り外し可能である。
【００４９】
一実施形態において、医療用装置の表示（例えば、視覚的表示）を含む、支持装置１００と共に使用するインディシアが含まれることができ、それにより、インディシアは、医療用装置の全体的な形状、外観及び／又は構成を模倣して、支持装置１００上に医療用装置を連結する方法のために、視覚的合図を提供する。前記インディシアは、システムを患者に適用して医療用装置を支持装置に連結するときに、本開示の支持装置１００及び上を被う医療用装置の作業性を向上させることができ、操作エラーを最小にすることができる。
【００５０】
医療用装置の表示に加えて、インディシアは、支持装置及び医療用装置が別の装置、構造、又は患者の身体の部分に対してどのように配置されるべきかを示すための矢印などの、方向指示を含むことができる。本開示の支持装置は、前記方向指示も含むことができる。
【００５１】
インディシアは、医療用物品を表示するために、様々なマーキング、図形などを含むことができる。例えば、いくつかの実施形態では、インディシアは、医療用物品の外形、輪郭、又は外周の２次元表示を含むことができる。このように、インディシアは、医療用装置の簡略化された表示であり得るが、インディシアによって提供される医療用装置の戯画又は表示に基づいて、医療用装置を支持装置に対してどのように配置するかユーザに明確になる。
【００５２】
本発明の具体的な実施形態を本明細書中に示し説明してきたが、これらの実施形態は、多くの考えられる具体的な構成を単に例示しているにすぎず、これらは本発明の原理を適用して考案され得ることが理解されよう。これらの原理に従って、本発明の趣旨及び範囲から逸脱することなく、多くの様々な他の構成が当業者によって考案され得る。したがって、本発明の範囲は、本出願に述べられる構造に限定されるべきではなく、特許請求の範囲の文言により述べられる構造及びそうした構造の均等物によってのみ限定されるべきである。本発明の実施態様の一部を以下の項目［１］−［１８］に記載する。
［項目１］
支持装置であって、該支持装置が、
第１表面及び第１表面とは反対側の第２表面を有する裏材層で、該裏材層が高度に水蒸気透過性であり、及び該裏材層の第１表面が液体水不透過性である、裏材層と；
該裏材層の第２表面に隣接して配置される緩衝体と；
該緩衝体に隣接する第１表面及び緩衝体の第１表面の反対側の第２表面を有するベース層で、該裏材層が高度に水蒸気透過性である、ベース層と；を含み、
該ベース層が完全に連続しており；
該ベース層の第２表面が接着剤を含んでおり；
該ベース層及び裏材層が緩衝体周辺に完全に接合する、支持装置。
［項目２］
前記裏材層又はベース層それぞれが複数の材料の層を含む、項目１に記載の支持装置。
［項目３］
前記裏材層がフィルムを含む、項目１又は２に記載の支持装置。
［項目４］
前記裏材層の第２表面が、ベース層と接合するために少なくとも部分的に接着剤を含む、項目１〜３のいずれか一項に記載の支持装置。
［項目５］
前記裏材層及びベース層の領域が緩衝体の領域より大きく、そのため前記裏材層及びベース層が完全に緩衝体の領域を越えて延びている、項目１〜４のいずれか一項に記載の支持装置。
［項目６］
前記緩衝体が裏材層及びベース層の厚さより実質的に大きな厚さを有する、項目１〜５のいずれか一項に記載の支持装置。
［項目７］
前記緩衝体が変形可能かつ圧縮可能である、項目１〜６のいずれか一項に記載の支持装置。
［項目８］
前記緩衝体が、発泡体、スポンジ、ゲル、親水コロイド、厚い不織材、織材又は編み材の布を含む、項目１〜７のいずれか一項に記載の支持装置。
［項目９］
前記緩衝体が非吸収性である、項目１〜８のいずれか一項に記載の支持装置。
［項目１０］
前記緩衝体が高度に水蒸気透過性である、項目１〜９のいずれか一項に記載の支持装置。
［項目１１］
前記ベース層が完全に連続しており、そのため前記ベース層は全体が連続する均一の材料構成である、項目１〜１０のいずれか一項に記載の支持装置。
［項目１２］
前記ベース層が完全に連続しており、そのため前記ベース層が連続する均一の材料構成である、項目１〜１１のいずれか一項に記載の支持装置。
［項目１３］
前記ベース層が完全に連続しており、そのため前記ベース層は穿孔がない、項目１〜１２のいずれか一項に記載の支持装置。
［項目１４］
前記ベース層がフィルム、織布、編布又は不織布である、項目１〜１３のいずれか一項に記載の支持装置。
［項目１５］
前記ベース層が液体水不透過性である、項目１〜１４のいずれか一項に記載の支持装置。
［項目１６］
前記接着剤が皮膚に固着する、項目１〜１５のいずれか一項に記載の支持装置。
［項目１７］
緩衝体に隣接する裏材層の第１表面に固着する固定装置を更に含む、項目１〜１６のいずれか一項に記載の支持装置。
［項目１８］
固定装置が医療用装置を保持する、項目１〜１７のいずれか一項に記載の支持装置。
【図１】
0006502938.tif 000002
【図２】
0006502938.tif 000003
【図３】
0006502938.tif 000004
【図４】
0006502938.tif 000005